(57)【要約】【課題】扉体の開回動角が比較的大きい状態で扉体の閉回動操作がされなくなった場合においても転動体及び自閉面によって扉体を自閉させることができるようにする。【解決手段】開口部１１ａにその両側部が支持部を介して係止／離脱を可能に支持され、２つの支持部の一方が係止されたとき２つの支持部の他方が離脱する扉体２と、該扉体２の下部に転動可能に設けられる転動体３と、該転動体３との接触で前記扉体２の回動を案内する案内面４１及び該案内面４１に境界４０を介して連なり、前記転動体３との接触で扉体２に加わる重力によって扉体２を自動的に閉回動させる自閉面４２を有する回動案内部４とを備え、前記自閉面４２は前記案内面４１の自閉面４２側端（境界４０）で案内面４１に対する角度が変わるようにしてある。【選択図】　　　　図５
2004044365.tif 000002
【特許請求の範囲】
【請求項１】
開口部にその一側部が回動可能に支持される扉体と、該扉体又は前記開口部に転動可能に設けられる転動体と、該転動体との接触で前記扉体の回動を案内する案内面及び該案内面に連なり、前記転動体との接触で扉体に加わる荷重によって扉体を自動的に閉回動させる自閉面を有する回動案内部とを備えた扉装置において、前記自閉面は前記案内面の自閉面側端で案内面に対する角度が変わるようにしてあることを特徴とする扉装置。
【請求項２】
開口部にその両側部が支持部を介して係止／離脱を可能に支持され、２つの支持部の一方が係止されたとき２つの支持部の他方が離脱する扉体と、該扉体の下部に転動可能に設けられる転動体と、該転動体との接触で前記扉体の回動を案内する案内面及び該案内面に連なり、前記転動体との接触で扉体に加わる荷重によって扉体を自動的に閉回動させる自閉面を有する回動案内部とを備えた扉装置において、前記自閉面は前記案内面の自閉面側端で案内面に対する角度が変わるようにしてあることを特徴とする扉装置。
【請求項３】
前記案内面と自閉面とは、前記扉体の回動方向と交差するように互いに反対方向へ傾斜しており、自閉面は案内面側を緩傾斜とし、案内面と反対側を急傾斜としてある請求項１又は２記載の扉装置。
【請求項４】
前記扉体は前記自閉面に接触している前記転動体が前記案内面と接触する位置に至るまで扉体を開回動させる操作体を備える請求項１〜３のいずれかに記載の扉装置。
【請求項５】
前記操作体は前記扉体に枢支されたレバーと、該レバーに連動して回動する連動杆と、該連動杆に突設され、前記開口部に設けられる当接部との当接により前記扉体を開回動させるカム部とを備える請求項４記載の扉装置。
【請求項６】
前記カム部は、前記扉体が開口部を閉じているときに当接部と当接する第１位置から該第１位置を前記扉体の閉回動方向へ越えた第２位置にかけて前記当接部との当接ができる面を有する請求項５記載の扉装置。
【請求項７】
前記転動体は前記扉体の一側部側と、他側部側と、一側部及び他側部の間の途中とに配置されている請求項１〜６のいずれかに記載の扉装置。
【請求項８】
要冷蔵物が収容される収容室が設けられた冷蔵庫本体と、前記収容室に開口する開口部に配置される請求項１〜７のいずれかに記載の扉装置とを備えることを特徴とする冷蔵庫。
【発明の詳細な説明】
【０００１】
【発明の属する技術分野】
本発明は扉体に加わる荷重によって扉体を自動的に閉回動させることができるように構成された扉装置及びこれを用いた冷蔵庫に関する。
【０００２】
【従来の技術】
図１０は従来の扉装置における扉体の支持部構成を示す説明図、図１１は従来の扉装置における扉体の回動過程を示す説明図、図１２は従来の扉装置における回動案内部及び転動体部分の構成を示す拡大断面図である。
扉体に加わる荷重によって扉体を自動的に閉回動させることができるように構成された扉装置は例えば冷蔵庫に使用されている。この扉装置は、図１０〜図１２に示すように冷蔵庫本体１００の開口部１０１にその両側部が左支持部１０２及び右支持部１０３を介して係止／離脱を可能に支持され、左支持部１０２及び右支持部１０３の一方が係止されたとき左支持部１０２及び右支持部１０３の他方が離脱する扉体１０４と、該扉体１０４の下部に転動可能に設けられる転動体１０５と、該転動体１０５との接触で前記扉体１０４の回動を案内する案内面１０６及び該案内面１０６に中継面１０７を介して連なり、前記転動体１０５との接触で扉体１０４に加わる荷重によって扉体１０４を自動的に閉回動させる自閉面１０８を有する回動案内部１０９とを備え、該回動案内部１０９が前記開口部１０１の下部に配設されている。また、転動体１０５は扉体１０４の一側部側と他側部側とに配置されている。（例えば、特許文献１、２参照。）
【０００３】
回動案内部１０９は、扉体１０４の回動方向と平行な中継面１０７と、該中継面１０７の前記開口部１０１側端から下向きに傾斜する前記自閉面１０８と、前記中継面１０７の前記開口部１０１と反対側端から下向きに傾斜する前記案内面１０６とからなる。また、前記転動体１０５は扉体１０４が開口部１０１を閉じている状態で前記自閉面１０８と接触するように設けられている。
【０００４】
このように構成された扉装置にあっては、開回動されている扉体１０４を閉回動させつつ開口部１０１を閉じる途中で転動体１０５が回動案内部１０９の案内面１０６と接触し、該案内面１０６及び中継面１０７に沿って扉体１０４が閉回動し、この扉体１０４が開口部１０１をほぼ閉じるとき、転動体１０５が自閉面１０８と接触し、扉体１０４に加わる荷重によって扉体１０４が自動的に閉回動され、扉体１０４の閉状態を維持することができる。
【０００５】
【特許文献１】
特開２００１−１２４４６３号公報
【特許文献２】
特開２００１−１７３３０３号公報
【０００６】
【発明が解決しようとする課題】
ところが、扉体１０４に加わる荷重によって扉体１０４を自動的に閉回動させることができるように構成された従来の扉装置は、扉体１０４の回動方向と平行な中継面１０７と、該中継面１０７の開口部側端から下向きに傾斜する自閉面１０８と、前記中継面１０７の開口部と反対側端から下向きに傾斜する案内面１０６とからなる回動案内部１０９を備え、扉体１０４が開口部１０１をほぼ閉じるとき、換言すれば、扉体１０４の開回動角がほぼなくなる回動域で転動体１０５が自閉面１０８と接触するようになっているため、扉体１０４が開口部１０１を閉じるとき、扉体１０４の開回動角がほぼなくなる回動域に至るまで扉体１０４を手動で操作する必要がある。この結果、扉体１０４の開回動角が比較的大きい状態で扉体１０４の閉回動操作がされなくなったとき、扉体１０４が自閉することなく回動停止し、開口部１０１を確実に閉じることができなくなり、改善策が要望されていた。
【０００７】
本発明は斯かる事情に鑑みてなされたものであり、主たる目的は自閉面を案内面の自閉面側端で案内面に対する角度が変わるように構成することにより、扉体の開回動角が比較的大きい状態で扉体の閉回動操作がされなくなった場合においても転動体及び自閉面によって扉体を自閉させることができる扉装置及び冷蔵庫を提供することにある。
【０００８】
また、他の目的は自閉面の案内面側を緩傾斜とし、案内面と反対側を急傾斜とすることにより、扉体の自閉状態を維持することができるとともに、自閉面の扉体回動方向両端間の高さを比較的低くすることができる扉装置及び冷蔵庫を提供することにある。
【０００９】
また、他の目的は自閉面に接触している転動体が案内面と接触する位置に至るまで扉体を開回動させる操作体を扉体が備えることにより、扉体の自閉性能を向上することができるにかかわらず、扉体の開回動初期の開操作性を向上できる扉装置及び冷蔵庫を提供することにある。
【００１０】
また、他の目的は前記操作体が、扉体に枢支されたレバーと、該レバーに連動して回動する連動杆と、該連動杆に突設されたカム部とを有する構成とすることにより、操作体の構造を簡単にでき、操作体の組込み性を向上できる扉装置及び冷蔵庫を提供することにある。
【００１１】
また、他の目的は前記カム部が、扉体が開口部を閉じているときに当接部と当接する第１位置から該第１位置を扉体の閉回動方向へ越えた第２位置にかけて前記当接部との当接ができる面を有する構成とすることにより、扉体の開回動初期の開操作性を向上することができるとともに、カム部の長さを比較的短くすることができる扉装置及び冷蔵庫を提供することにある。
【００１２】
また、他の目的は扉体の一側部側と、他側部側と、一側部及び他側部の間の途中とに転動体が配置された構成とすることにより、自閉面及び案内面の間の境界を転動体が通過するときの負荷を複数の転動体に分散することができ、扉体をスムーズに回動操作することができる扉装置及び冷蔵庫を提供することにある。
【００１３】
【課題を解決するための手段】
本発明に係る扉装置は、開口部にその一側部が回動可能に支持される扉体と、該扉体又は前記開口部に転動可能に設けられる転動体と、該転動体との接触で前記扉体の回動を案内する案内面及び該案内面に連なり、前記転動体との接触で扉体に加わる荷重によって扉体を自動的に閉回動させる自閉面を有する回動案内部とを備えた扉装置において、前記自閉面は前記案内面の自閉面側端で案内面に対する角度が変わるようにしてあることを特徴とする。
【００１４】
この発明にあっては、自閉面が案内面の自閉面側端で案内面に対する角度を変えてあるため、扉体の開回動角が比較的大きい状態で転動体を自閉面に接触させることができる。この結果、扉体の開回動角が比較的大きい状態で扉体の閉回動操作がされなくなった場合においても転動体及び自閉面によって扉体を自閉させることができ、扉体の自閉性能を向上できる。
【００１５】
また、本発明に係る扉装置は、開口部にその両側部が支持部を介して係止／離脱を可能に支持され、２つの支持部の一方が係止されたとき２つの支持部の他方が離脱する扉体と、該扉体の下部に転動可能に設けられる転動体と、該転動体との接触で前記扉体の回動を案内する案内面及び該案内面に連なり、前記転動体との接触で扉体に加わる荷重によって扉体を自動的に閉回動させる自閉面を有する回動案内部とを備えた扉装置において、前記自閉面は前記案内面の自閉面側端で案内面に対する角度が変わるようにしてあることを特徴とする。
【００１６】
この発明にあっては、自閉面が案内面の自閉面側端で案内面に対する角度を変えてあるため、扉体の開回動角が比較的大きい状態で転動体を自閉面に接触させることが可能である。この結果、扉体の開回動角が比較的大きい状態で扉体の閉回動操作がされなくなった場合においても転動体及び自閉面によって扉体を自閉させることができ、扉体の自閉性能を向上できる。
【００１７】
また、本発明に係る扉装置は、前記案内面と自閉面とは、前記扉体の回動方向と交差するように互いに反対方向へ傾斜しており、自閉面は案内面側を緩傾斜とし、案内面と反対側を急傾斜としてあることを特徴とする。
【００１８】
この発明にあっては、扉体を閉回動するとき、自閉面の緩傾斜部分で扉体を閉回動方向へ助走させることができ、しかも、急傾斜部分で扉体の自閉状態を維持することができるとともに、自閉面の扉体回動方向両端間の高さを比較的低くすることができ、扉体の回動操作性を向上できる。
【００１９】
また、本発明に係る扉装置は、前記扉体は前記自閉面に接触している前記転動体が前記案内面と接触する位置に至るまで扉体を開回動させる操作体を備えることを特徴とする。
【００２０】
この発明にあっては、扉体の操作体を操作することにより、自閉面に接触している転動体が案内面と接触する位置に至るまで扉体を開回動させることができるため、前記したように扉体の自閉性能を向上することができるにかかわらず、扉体の開回動初期の開操作性を向上できる。
【００２１】
また、本発明に係る扉装置は、前記操作体は前記扉体に枢支されたレバーと、該レバーに連動して回動する連動杆と、該連動杆に突設され、前記開口部に設けられる当接部との当接により前記扉体を開回動させるカム部とを備えることを特徴とする。
【００２２】
この発明にあっては、扉体のレバーを操作することにより、該レバーに連動して連動杆が回動し、該連動杆に突設されたカム部が開口部側の当接部に当接して扉体を、自閉面に接触している転動体が案内面と接触する位置に至るまで強制的に開動作させるため、前記したように扉体の自閉性能を向上することができるにかかわらず、扉体の開回動初期の開操作性を向上することができ、しかも、レバーと連動杆とカム部とによって操作体が構成されているため、操作体の構造が簡単であり、操作体の組込み性を向上できる。
【００２３】
また、本発明に係る扉装置は、前記カム部は、前記扉体が開口部を閉じているときに当接部と当接する第１位置から該第１位置を前記扉体の閉回動方向へ越えた第２位置にかけて前記当接部との当接ができる面を有することを特徴とする。
この発明にあっては、扉体の開回動初期の開操作性を向上することができるとともに、カム部の長さを比較的短くすることができる。
【００２４】
また、本発明に係る扉装置は、前記転動体は前記扉体の一側部側と、他側部側と、一側部及び他側部の間の途中とに配置されていることを特徴とする。
この発明にあっては、扉体が回動するとき、自閉面及び案内面の間の境界を複数の転動体が順次通過することになるため、転動体が前記境界を通過するときの負荷を複数の転動体に分散することができ、扉体をスムーズに回動操作することができる。
【００２５】
また、本発明に係る冷蔵庫は、要冷蔵物が収容される収容室が設けられた冷蔵庫本体と、前記収容室に開口する開口部に配置される請求項１〜７のいずれかに記載の扉装置とを備えることを特徴とする。
【００２６】
この発明にあっては、自閉面が案内面の自閉面側端で案内面に対する角度を変えてあるため、扉体の開回動角が比較的大きい状態で転動体を自閉面に接触させることが可能である。この結果、手動による扉体の閉回動操作量が不足する場合においても転動体及び自閉面によって扉体を自閉させることができ、扉体の自閉性能を向上できる。
【００２７】
【発明の実施の形態】
以下本発明をその実施の形態を示す図面に基づいて詳述する。
図１は本発明に係る扉装置を用いた冷蔵庫の構成を示す斜視図である。
図１の冷蔵庫１は要冷蔵物がその前面の開口部１１ａから収容される収容室、野菜がその前面の開口部１１ｂから収容される野菜室、要冷凍物がその前面の開口部１１ｃ，１１ｄから収容される冷凍室を有する冷蔵庫本体１１と、前記上側の収容室の開口部１１ａに配置される扉装置Ａと、前記野菜室の開口部１１ｂを開閉する野菜室扉１２と、冷凍室の開口部１１ｃ，１１ｄを開閉する冷凍室扉１３，１４とを備えている。
【００２８】
図２は開口部における扉体の支持部構成を示す平面図、図３は扉体の底面図、図４は扉体の支持部構成及び扉体の回動過程を示す説明図である。
扉装置Ａは、前記開口部１１ａの両側の上部と下部とで、その一側部２ａが上側の支持部及び下側の支持部２０ａを介して回動可能に支持され、その他側部２ｂが上側の支持部及び下側の支持部２０ｂを介して回動可能に支持された左右回動式の１つの扉体２と、該扉体２の下部にその軸芯が扉体２の左右方向となる軸３１を介して転動自在に設けられる転動体３と、該転動体３との接触で前記扉体２の回動を案内する回動案内部４と、扉体２を開回動させる操作体５とを備えている。
【００２９】
扉体２の上側の支持部及び下側の支持部２０ａ，２０ｂは扉体２の左右方向への摺動を可能とする摺動手段と、扉体２の一側部２ａ側で開口部１１ａを開くとき他側部２ｂ側で係止し、扉体２の他側部２ｂ側で開口部１１ａを開くとき一側部２ａ側で係止する係止手段とを夫々有している。上側の支持部と下側の支持部２０ａ，２０ｂとは基本的に同じ構成であり、しかも、上側の支持部の摺動手段及び係止手段と、下側の支持部２０ａ，２０ｂの摺動手段及び係止手段とは基本的に同じ構成であるため、以下の説明では、上側の支持部と、上側の支持部の摺動手段及び係止手段についての説明を省略する。
【００３０】
摺動手段は前記開口部１１ａの上部及び下部に突設された支持軸２１，２１と、該支持軸２１，２１が相対摺動を可能に挿入され、その長手方向が前記摺動する方向となる摺動案内凹部２２，２２とを有しており、該摺動案内凹部２２，２２が扉体２の下面に設けられている。また、この扉体２の下面には前記摺動案内凹部２２，２２の長手方向内側となる端部からその長手方向が扉体２の閉回動方向となる回動案内凹部２３，２３が設けられており、扉体２が開回動するとき、該回動案内凹部２３，２３に前記支持軸２１，２１が嵌まるようにしてある。
【００３１】
摺動案内凹部２２，２２は長円形になっており、扉体２が開口部１１ａを開く側では前記回動案内凹部２３，２３が支持軸２１，２１に近い側の第１位置（図４ａの位置）となり、扉体２が開口部を開かない側、即ち、扉体２の回動中心となる側では回動案内凹部２３，２３が支持軸２１，２１と離間する側の第２位置となるようにしてある。また、摺動案内凹部２２，２２は前記支持軸２１，２１の軸心間の直線に対して傾斜しており、扉体２の一側部２ａ側又は他側部２ｂ側が開口部１１ａを開くとき、扉体２の重力によって扉体２が開口部１１ａに対して左方向、又は右方向へ摺動するようにしてある。
回動案内凹部２３，２３は、摺動案内凹部２２，２２と反対側端を前記支持軸２１，２１の出入口としたカム部になっている。
【００３２】
係止手段は前記支持軸２１，２１の周りに支持軸２１，２１と離間して前記開口部１１ａの下部から突設された半円形の係止壁２４，２４と、前記摺動案内凹部２２，２２の周りに設けられ、前記支持軸２１，２１及び係止壁２４，２４の間の嵌合凹部に嵌合される断面Ｃ字形の嵌合凸部２５，２５とを有しており、扉体２が開口部１１ａを開く側では嵌合凸部２５が前記嵌合凹部から抜け出し、扉体２が開口部１１ａを開かない側、即ち、扉体２の回動中心となる側では支持軸２１が摺動案内凹部２２の第２位置となる状態で嵌合凸部２５が前記嵌合凹部に嵌合され、嵌合凸部２５を係止、引いては扉体２を開口部１１ａ側の冷蔵庫本体に係止するようにしてある。
また、前記支持部２０ａ，２０ｂの近傍には扉体２が開回動及び閉回動するとき、互いに接触して扉体２の回動を案内する回動案内凸部２６，２７の一方が前記扉体２の下面に突設され、他方が開口部１１ａの下部から突設されている。
【００３３】
転動体３は扉体２の一側部２ａ側と他側部２ｂ側と、一側部２ａ及び他側部２ｂ間の中央近傍位置とに夫々同軸的に複数個設けられている。また、転動体３を支持する軸３１は前記支持軸２１，２１の軸心間の直線と平行に配置されており、さらに、転動体３は軸３１に対して該軸３１の軸長方向へ移動可能としてある。尚、一側部２ａ及び他側部２ｂ間の中央近傍位置に設ける転動体３は、一側部２ａ及び他側部２ｂ間のほぼ中央に１つ設けてもよい。
【００３４】
図５は回動案内部及び転動体部分の構成を示す拡大断面図である。
この転動体３が接触する前記回動案内部４は、転動体３との接触で扉体２の回動を案内する案内面４１と、該案内面４１に境界４０を介して連なり、前記転動体３との接触で扉体２に加わる荷重によって扉体２を自動的に閉回動させる自閉面４２とを有しており、前記支持軸２１，２１の軸心間の直線と平行に配置されている。この案内面４１及び自閉面４２は扉体２の回動方向に対して傾斜しており（図５参照）、さらに、自閉面４２は案内面４１の自閉面４２側端（境界４０）で案内面４１に対する角度が変わるようにしてある。また、自閉面４２は案内面４１側が緩傾斜となり、案内面４１と反対側が急傾斜となるように２段階に角度が変わっており、緩傾斜部分４２ａでは閉回動中の扉体２を助走させ、急傾斜部分４２ｂでは扉体２に加わる荷重によって扉体２が開回動することを確実に禁止するようにしてある。
【００３５】
具体例としては、回動案内部４の水平部４ａの幅寸法（扉体回動方向の幅寸法）を６１ｍｍ、自閉面４２の緩傾斜部分４２ａの幅寸法を１１．７ｍｍ、自閉面４２の急傾斜部分４２ｂの幅寸法を８．２ｍｍとした。さらに、自閉面４２の緩傾斜部分４２ａの水平面（扉体の回動域となる面）からの角度を５度、自閉面４２の急傾斜部分４２ｂの水平面（扉体の回動域となる面）からの角度を１１度とした。回動案内部４の水平部４ａの前側表面は開口部１１ａを閉じている扉体２の前側表面より越えないようにすればよい。
尚、前記水平部４ａ、緩傾斜部分４２ａ、急傾斜部分４２ｂのそれぞれの幅寸法は、前記した幅寸法に２ｍｍ以下の寸法を加算又は減算した寸法としてもよいし、また、前記緩傾斜部分４２ａの水平面からの角度は、前記した角度に２度以下の角度を加算又は、１度以下の角度を減算した角度及び急傾斜部分４２ｂの水平面からの角度は、前記した角度に２度以下の角度を加算又は減算した角度としてもよい。
【００３６】
図６は操作体部分の拡大横断面図、図７は操作体部分の一部を切欠いた拡大正面図である。
【００３７】
操作体５は、扉体２の一側部２ａ及び他側部２ｂに凹設された凹所２ｃ内にその一端部が軸５０ａ，５０ｂを介して枢支されたレバー５１と、その上端が前記レバー５１の一端部に結合され、その下端が扉体２の下端部に配置され、レバー５１に連動して回動する連動杆５２と、該連動杆５２の下端に前記レバー５１と反対方向へ突設され、前記開口部１１ａに突設される当接部５３との当接により前記扉体２を強制的に開回動させるカム部５４とを有する。このカム部５４は、前記扉体２が開口部１１ａを閉じているときに当接部５３と当接する第１位置から該第１位置を前記扉体２の閉回動方向へ越えた第２位置にかけて前記当接部５３との当接ができる面５４ａを有しており、前記自閉面４２の急傾斜部分４２ｂに接触している前記転動体３が前記境界４０を越えて前記案内面４１と接触する位置に至るまで扉体２を開回動させることができるようにしてある（図３、図８参照）。
【００３８】
図８及び図９は扉体の回動過程を示す説明図である。
以上のように構成された扉装置Ａは、扉体２が開口部１１ａを閉じているとき、扉体２の下部に設けられている転動体３の全てが自閉面４２の急傾斜部分４２ｂと接触し、扉体２に加わる荷重によって転動体３の自閉面４２との接触状態が維持されている（図８のａ）。
【００３９】
このように扉体２が開口部１１ａを閉じている状態で、例えば扉体２の他側部２ｂが開口部１１ａを開く場合、扉体２の他側部２ｂに設けられたレバー５１を引き操作することにより、連動杆５２が回動し、該連動杆５２に突設されたカム部５４と当接部５３との当接位置が変わり、一側部２ａ側の上側の支持部及び下側の支持部２０ａを回動中心として扉体２が強制的に開回動される。
このとき、扉体２は、前記自閉面４２の急傾斜部分４２ｂに接触している転動体３が境界４０を越えて案内面４１と接触する位置に至るため（図９のｄ）、扉体２の開き始めを比較的小さい操作力で容易に開回動させることができる。このように開回動された扉体２は、転動体３が案内面４１を転動しつつさらに開回動され、開回動の途中で転動体３の案内面４１との接触が離脱し、扉体２を大きく開くことができる。尚、扉体２の開回動に伴い、転動体３を支持する軸３１（図８、９では図示せず）は前記支持軸２１，２１の軸心間の直線、換言すれば回動案内部４に対して交差する方向へ変位する。
【００４０】
また、扉体２が開口部１１ａを閉じる場合、扉体２を閉回動させる途中で転動体３が回動案内部４の案内面４１と接触し、該転動体３が境界４０を越えて自閉面４２と接触することになる（図８のａ）。
このとき、自閉面４２は案内面４１の自閉面４２側端で案内面４１に対する角度が変わるようになっているため、換言すれば、自閉面４２は案内面４１との境界４０で角度が変わっているため（図５参照）、扉体２の開回動角が比較的大きい状態で転動体３を自閉面４２に接触させることができる。この結果、扉体２の開回動角が比較的大きい状態で扉体２の閉回動操作がされなくなった場合においても転動体３及び自閉面４２によって扉体２を自閉させることができ、扉体２の自閉性能を向上できる。また、前記自閉面４２は、案内面４１側が緩傾斜となり、案内面４１と反対が急傾斜となっているため、緩傾斜部分４２ａでは扉体２を助走させつつ閉回動させることができ、急傾斜部分４２ｂでは扉体２に加わる荷重によって扉体２が開回動することを確実に禁止する。
【００４１】
しかも、扉体２が開口部１１ａを閉じる場合、扉体２の閉回動に伴い扉体２の一側部２ａ側に配置された複数の転動体３が順次境界に接触し、次に扉体２の一側部２ａ及び他側部２ｂ間の中央部に配置された複数の転動体３が順次境界４０に接触し、さらに、扉体２の他側部２ｂ側に配置された複数の転動体３が順次境界４０に接触することになり（図８及び図９参照）、扉体２に加わる荷重が境界４０に加わる点を順次変えることができるため、閉回動に必要な操作力を比較的小さくすることができる。
【００４２】
また、レバー５１の操作で扉体２の他側部２ｂが開口部１１ａを開くとき、扉体２の開回動に伴い扉体２の他側部２ｂ側に配置された複数の転動体３が順次境界４０に接触し、次に扉体２の一側部２ａ及び他側部２ｂ間の中央部に配置された複数の転動体３が順次境界４０に接触し、さらに、扉体２の一側部２ａ側に配置された複数の転動体３が順次境界４０に接触することになり、扉体２に加わる荷重が境界４０に加わる点を順次変えることができるため、開回動に必要な操作力を比較的小さくすることができる。
【００４３】
因に、扉体２の一側部２ａ及び他側部２ｂ間の中央部に転動体３が設けられていない場合、扉体２が開回動するとき、扉体２の一側部２ａ側に配置された転動体３が自閉面４２に接触している状態で、扉体２の他側部２ｂ側に配置された転動体３が境界４０を越えて案内面４１と接触し、転動体３が前記境界４０と接触しない領域が発生することになるため、扉体２の開回動に必要な操作力が前記した実施の形態に比べて大きくなる。また、扉体２が閉回動するとき、扉体２の他側部２ｂ側に配置された転動体３が案内面４１に接触している状態で、扉体２の一側部２ａ側に配置された転動体３が境界４０を越えて自閉面４２と接触し、転動体３が前記境界４０と接触しない領域が発生することになるため、扉体２の閉回動に必要な操作力が前記した実施の形態に比べて大きくなる。
【００４４】
尚、以上説明した実施の形態では、回動案内部４の自閉面４２を緩傾斜面４２ａと急傾斜部分４２ｂとの２段階としたが、その他、湾曲した１つの面としてもよいし、また、１つの傾斜面としてもよい。
【００４５】
また、以上説明した実施の形態では、扉体２の一側部２ａ側と、他側部２ｂ側と、一側部２ａ及び他側部２ｂ間の中央部とに夫々複数の転動体３を配置したが、その他、前記３つの箇所の転動体３を夫々１つとしてもよいし、また、一側部２ａ及び他側部２ｂ間の中央部の転動体３をなくし、前記一側部２ａ側及び他側部２ｂ側に転動体３を配置してもよい。
【００４６】
また、本発明に係る扉装置Ａは扉体２の一側部２ａと他側部２ｂとが開口部１１ａに回動可能に支持された構成である他、扉体２の一側部２ａだけが開口部１１ａに回動可能に支持された構成であってもよい。　また、本発明に係る扉装置Ａは冷蔵庫に用いる他、例えば窓等の開口部を開閉するのに用いてもよい。
【００４７】
【発明の効果】
以上詳述したように本発明によれば、扉体の開回動角が比較的大きい状態で転動体を自閉面に接触させることができるため、扉体の開回動角が比較的大きい状態で扉体の閉回動操作がされなくなった場合においても転動体及び自閉面によって扉体を自閉させることができ、扉体の自閉性能を向上できる。
【００４８】
また、本発明によれば、自閉面は案内面側を緩傾斜とし、案内面と反対側を急傾斜としてあるため、扉体を閉回動するとき、自閉面の緩傾斜部分で扉体を閉回動方向へ助走させることができ、しかも、急傾斜部分で扉体の自閉状態を維持することができるとともに、自閉面の扉体回動方向両端間の高さを比較的低くすることができ、扉体の回動操作性を向上できる。
【００４９】
また、本発明によれば、扉体の操作体を操作することにより、自閉面に接触している転動体が案内面と接触する位置に至るまで扉体を開回動させることができるため、扉体の自閉性能を向上することができるにかかわらず、扉体の開回動初期の開操作性を向上できる。
【００５０】
また、本発明によれば、レバーと連動杆とカム部とによって操作体が構成されているため、操作体の構造が簡単であり、操作体の組込み性を向上できる。
また、本発明によれば、カム部の長さを比較的短くすることができ、カム部の動作空間を少なくすることができる。
【００５１】
また、本発明によれば、扉体が回動するとき、自閉面及び案内面の間の境界を複数の転動体が順次通過することになるため、転動体が前記境界を通過するときの負荷を複数の転動体に分散することができ、扉体をスムーズに回動操作することができる。
【図面の簡単な説明】
【図１】本発明に係る扉装置を用いた冷蔵庫の構成を示す斜視図である。
【図２】本発明に係る扉装置の開口部における扉体の支持部構成を示す平面図である。
【図３】本発明に係る扉装置における扉体の底面図である。
【図４】本発明に係る扉装置における扉体の支持部構成及び扉体の回動過程を示す説明図である。
【図５】本発明に係る扉装置の回動案内部及び転動体部分の構成を示す拡大断面図である。
【図６】本発明に係る扉装置の操作体部分の拡大横断面図である。
【図７】本発明に係る扉装置における操作体部分の一部を切欠いた拡大正面図である。
【図８】本発明に係る扉装置の扉体の回動過程を示す説明図である。
【図９】本発明に係る扉装置の扉体の回動過程を示す説明図である。
【図１０】従来の扉装置における扉体の支持部構成を示す説明図である。
【図１１】従来の扉装置における扉体の回動過程を示す説明図である。
【図１２】従来の扉装置における回動案内部及び転動体部分の構成を示す拡大断面図である。
【符号の説明】
１　　　冷蔵庫
１１　　冷蔵庫本体
１１ａ　開口部
２　　　扉体
２ａ　　一側部
２ｂ　　他側部
２０ａ，２０ｂ　支持部
３　　　転動体
４１　　案内面
４２　　自閉面
５　　　操作体
５１　　レバー
５２　　連動杆
５３　　当接部
５４　　カム部
【図１】
2004044365.tif 000003
【図２】
2004044365.tif 000004
【図３】
2004044365.tif 000005
【図４】
2004044365.tif 000006
【図５】
2004044365.tif 000007
【図６】
2004044365.tif 000008
【図７】
2004044365.tif 000009
【図８】
2004044365.tif 000010
【図９】
2004044365.tif 000011
【図１０】
2004044365.tif 000012
【図１１】
2004044365.tif 000013
【図１２】
2004044365.tif 000014